(57)【要約】【課題】高い精度で所定の処理の達成度を判定する判定装置を提供する。【解決手段】所定の処理の達成度に応じて色が変化する変色領域を有する試験紙により前記所定の処理の達成度を判定する判定装置は、前記試験紙の前記変色領域を含む測定領域の光学特性値を測定する測定手段と、前記所定の処理の複数の達成度それぞれについて、前記測定領域における前記変色領域の面積と前記光学特性値との関係を示す判定情報を保持する保持手段と、前記測定手段が測定した前記試験紙の前記測定領域の前記光学特性値と、前記判定情報と、に基づき、前記所定の処理の達成度を判定する判定手段と、を備えている。【選択図】図６
2020085740.tif 000002
【特許請求の範囲】
【請求項１】
所定の処理の達成度に応じて色が変化する変色領域を有する試験紙により前記所定の処理の達成度を判定する判定装置であって、
前記試験紙の前記変色領域を含む測定領域の光学特性値を測定する測定手段と、
前記所定の処理の複数の達成度それぞれについて、前記測定領域における前記変色領域の面積と前記光学特性値との関係を示す判定情報を保持する保持手段と、
前記測定手段が測定した前記試験紙の前記測定領域の前記光学特性値と、前記判定情報と、に基づき、前記所定の処理の達成度を判定する判定手段と、
を備えていることを特徴とする判定装置。
【請求項２】
前記測定領域の光学特性値は、前記測定領域の分光反射率であることを特徴とする請求項１に記載の判定装置。
【請求項３】
前記測定領域の光学特性値は、前記測定領域の分光反射率から求められる色値であることを特徴とする請求項１に記載の判定装置。
【請求項４】
前記判定手段は、前記判定情報が示す光学特性値の内、前記測定手段が測定した前記試験紙の前記測定領域の前記光学特性値に最も近い第１光学特性値を判定し、前記第１光学特性値に対応する第１達成度に基づき、前記所定の処理の達成度を判定することを特徴とする請求項１から３のいずれか１項に記載の判定装置。
【請求項５】
前記複数の達成度の中に、前記第１達成度より前記所定の処理の達成レベルの高い第２達成度と前記所定の処理の達成レベルの低い第３達成度との両方が存在する場合、前記判定手段は、前記判定情報が示す、前記第２達成度で、前記測定領域における前記変色領域の面積が前記第１光学特性値に対応する第１面積であるときの第２光学特性値と、前記判定情報が示す、前記第３達成度で、前記測定領域における前記変色領域の面積が前記第１面積であるときの第３光学特性値と、のいずれが前記第１光学特性値に近いかを判定し、前記第２光学特性値が前記第３光学特性値より前記第１光学特性値に近い場合、前記所定の処理の達成度が前記第１達成度から前記第２達成度の範囲内と判定し、前記第３光学特性値が前記第２光学特性値より前記第１光学特性値に近い場合、前記所定の処理の達成度が前記第１達成度から前記第３達成度の範囲内と判定することを特徴とする請求項４に記載の判定装置。
【請求項６】
所定の処理の達成度に応じて色が変化する変色領域を有する試験紙により前記所定の処理の達成度を判定する判定装置であって、
前記試験紙の前記変色領域を含む測定領域の分光反射率を測定する測定手段と、
前記試験紙の下地の第１波長における第１分光反射率及び第２波長における第２分光反射率を示す下地情報と、前記所定の処理の複数の達成度それぞれについて、達成度に対応する前記変色領域の色の前記第１波長における分光反射率と前記第１分光反射率との第１差分と、当該達成度に対応する前記変色領域の色の前記第２波長における分光反射率と前記第２分光反射率との第２差分と、の比を示す判定情報を保持する保持手段と、
前記第１分光反射率と前記測定手段が測定した前記第１波長における分光反射率との第３差分と、前記第２分光反射率と前記測定手段が測定した前記第２波長における分光反射率の第４差分との比と、前記判定情報と、に基づき前記所定の処理の達成度を判定する判定手段と、
を備えていることを特徴とする判定装置。
【請求項７】
前記判定手段は、前記判定情報が示す比のうち、前記第３差分と前記第４差分との比に最も近い比に対応する達成度に基づき、前記所定の処理の達成度を判定することを特徴とする請求項６に記載の判定装置。
【請求項８】
前記第１波長は、前記複数の達成度に対応する前記変色領域の複数の色それぞれの分光反射率の差が第１所定値より小さくなる波長であることを特徴とする請求項６又は７に記載の判定装置。
【請求項９】
前記第２波長は、前記複数の達成度に対応する前記変色領域の複数の色それぞれの分光反射率の差が第２所定値より大きくなる波長であることを特徴とする請求項６から８のいずれか１項に記載の判定装置。
【請求項１０】
前記複数の達成度それぞれの前記変色領域の色について、当該色の分光反射率の波長による変化量は、前記第１波長において第１変化量より小さいことを特徴とする請求項６から９のいずれか１項に記載の判定装置。
【請求項１１】
前記複数の達成度それぞれの前記変色領域の色について、当該色の分光反射率の波長による変化量は、前記第２波長において第２変化量より小さいことを特徴とする請求項６から１０のいずれか１項に記載の判定装置。
【請求項１２】
前記第１分光反射率と前記第２分光反射率との差は、第３所定値より小さいことを特徴とする請求項６から１１のいずれか１項に記載の判定装置。
【請求項１３】
前記所定の処理は、滅菌処理であることを特徴とする請求項１から１２のいずれか１項に記載の判定装置。
【請求項１４】
測色対象領域を含む測定領域の光学特性値を測定する測定手段と、
複数の基準色それぞれについて、前記測定領域における前記測色対象領域の面積と前記光学特性値との関係を示す判定情報を保持する保持手段と、
前記測定手段が測定した前記測定領域の前記光学特性値と、前記判定情報と、に基づき、前記測色対象領域の測色結果として、前記複数の基準色のいずれかを選択する選択手段と、
を備えていることを特徴とする測色装置。
【請求項１５】
前記測定領域の光学特性値は、前記測定領域の分光反射率であることを特徴とする請求項１４に記載の測色装置。
【請求項１６】
前記測定領域の光学特性値は、前記測定領域の分光反射率から求められる色値であることを特徴とする請求項１４に記載の測色装置。
【請求項１７】
前記選択手段は、前記判定情報が示す光学特性値の内、前記測定手段が測定した前記測定領域の前記光学特性値に最も近い第１光学特性値を判定し、前記第１光学特性値に対応する基準色を選択することを特徴とする請求項１４から１６のいずれか１項に記載の測色装置。
【発明の詳細な説明】
【技術分野】
【０００１】
本発明は、測色技術及び所定の処理の達成度の判定技術に関する。
【背景技術】
【０００２】
容器内の滅菌対象物を、高圧蒸気や過酸化水素等の雰囲気に暴露することで、滅菌対象物を滅菌することが行われている。この際、滅菌対象物に対する滅菌処理の達成度を簡易的に判定するため、滅菌用のケミカルインジケータ（以下、ＣＩ）が使用されている。ＣＩは、滅菌剤（蒸気や過酸化水素等）による滅菌処理に必要な条件の達成度合いに応じて変色する変色領域を有する。滅菌処理の達成度は、ＣＩの変色領域の色の変化を判定することにより行われるが、目視による判定では誤判定が生じ得る。このため、特許文献１は、光学的にＣＩの変色領域の色を読み取ることで、滅菌処理の達成度を測定する測定装置を開示している。
【先行技術文献】
【特許文献】
【０００３】
【特許文献１】特開２００３−３２５６４６号公報
【発明の概要】
【発明が解決しようとする課題】
【０００４】
ＣＩの変色領域は、変色領域をユーザに認識させるため、文字状や、複数のドット状に構成される場合がある。この様なＣＩの変色領域の色を特許文献１に開示された測定装置により測定すると、当該測定装置の測定領域に含まれる変色領域（測色対象領域）とその下地との割合に応じて測定結果（測色結果）が異なり得る。これは、滅菌処理といった所定の処理の達成度の誤判定に繋がる。誤判定が生じる確率を低くするには、測定領域に含まれる下地の割合が変化しても、測色結果の精度の低下を抑制する必要がある。
【０００５】
本発明は、高い精度で所定の処理の達成度を判定する判定装置を提供するものである。また、本発明は、測定領域に含まれる下地の割合が変化しても、測色結果の精度の低下を抑制できる測色装置を提供するものである。
【課題を解決するための手段】
【０００６】
本発明の一態様によると、所定の処理の達成度に応じて色が変化する変色領域を有する試験紙により前記所定の処理の達成度を判定する判定装置は、前記試験紙の前記変色領域を含む測定領域の光学特性値を測定する測定手段と、前記所定の処理の複数の達成度それぞれについて、前記測定領域における前記変色領域の面積と前記光学特性値との関係を示す判定情報を保持する保持手段と、前記測定手段が測定した前記試験紙の前記測定領域の前記光学特性値と、前記判定情報と、に基づき、前記所定の処理の達成度を判定する判定手段と、を備えていることを特徴とする。
【発明の効果】
【０００７】
本発明によると、高い精度で所定の処理の達成度を判定することができる。また、本発明によると、測定領域に含まれる下地の割合が変化しても、測色結果の精度の低下を抑制することができる。
【図面の簡単な説明】
【０００８】
【図１】一実施形態による判定装置の構成図。
【図２】一実施形態によるＣＩを示す図。
【図３】一実施形態による達成度の判定方法の説明図。
【図４】一実施形態によるＣＩと測定領域の関係を示す図。
【図５】測定領域内における下地の複数の面積割合について、変色領域の色の分光反射率を示す図。
【図６】一実施形態による判定情報を示す図。
【図７】一実施形態によるＣＩを示す図。
【図８】各達成度における変色領域の色の分光反射率を示す図。
【図９】一実施形態による判定情報を示す図。
【図１０】一実施形態によるＣＩを示す図。
【発明を実施するための形態】
【０００９】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１０】
＜第一実施形態＞
図１（Ａ）及び図１（Ｂ）は、本実施形態による、滅菌処理の達成度を判定する判定装置１の側面図及び正面図である。また、図１（Ｃ）は、図１（Ｂ）のＡ−Ａ線の断面図である。判定装置１は、ＣＩ２の挿入部４と、挿入部４に挿入されたＣＩ２を下流側の測定位置に搬送する搬送ローラ対６と、を有する。図１（Ａ）に示す様に、測定者が挿入部４からＣＩ２を挿入すると、搬送ローラ対６は、ＣＩ２を、図１（Ｃ）の実線で示す測定位置に搬送する。測定位置の対向側には分光計３が配置されている。分光計３は、ＣＩ２の表面に光７を照射し、その反射光を受光することで、ＣＩ２の変色領域の分光反射率を測定する。測定後、搬送ローラ対６の逆回転により、ＣＩ２は、判定装置１から排出される。制御部８は、判定装置１を制御する。制御部８は、測色及び滅菌処理の達成度の判定に使用する種々の情報を保持する記憶部９と、各種の演算処理等を行う演算処理部１０と、を有する。また、判定装置１は、表示部５を有する。制御部８は、判定結果、例えば、滅菌処理の達成度を所定段階に分けて、滅菌レベルとして表示部５に表示する。
【００１１】
図２は、本実施形態によるＣＩ２を示している。ＣＩ２は、シート状の試験紙であり、表面に化学的処理が施された変色領域２１を有する。図２の例において変色領域２１は、英文字"ＴＥＳＴ"と表示されている文字部分である。変色領域２１は、滅菌処理の達成度に応じてその色が変化する。図３に示す様に、本実施形態において、ＣＩ２の変色領域２１は、初期状態において色Ｃ＃１であり、滅菌処理の達成度に応じて色Ｃ＃２〜色Ｃ＃９へと変化し、最終的には色Ｃ＃１０で一定となる様に構成されているものとする。以下、色Ｃ＃ｋ（ｋは１から１０までの整数）となるときの条件達成度を達成度＃ｋとする。なお、変色領域２１の色は、図３に示す様に所定数（図３は、Ｃ＃１〜Ｃ＃１０の１０個）の色のいずれかとなるのではなく、色Ｃ＃１からＣ＃１０へと連続的に変化する。つまり、変色領域２１は、色Ｃ＃ｍ（ｍは、１から９までの整数）と色Ｃ＃ｍ＋１との間の色も取り得る。本実施形態では、滅菌処理の達成度を９段階で評価する。具体的には、分光計３で測色した変色領域２１の色がＣ＃ｍ〜Ｃ＃ｍ＋１の範囲内にあると、滅菌処理のレベルをレベル＃ｍと判定する。そして、例えば、レベル＃８及び＃９をＯＫレベルとし、レベル＃１〜＃７をＮＧレベルとする。したがって、滅菌処理のレベルがレベル＃ｍとは、滅菌処理の達成度が＃ｍ〜＃ｍ＋１の範囲内との意味である。
【００１２】
ここで、分光計３が測色するＣＩ２の領域（以下、測定領域）は、ＣＩ２の変色領域２１の一部分である。図４は、測定領域３１と、変色領域２１との関係の一例を示している。本実施形態では、図４に示す様に、ＣＩ２が搬送ローラ対６により測定位置に搬送された状態において、測定領域３１は、文字"Ｔ"の縦線近傍に位置するものとする。しかしながら、測定位置へのＣＩ２の搬送状態のバラつきや、個々のＣＩ２のサイズのバラつき等により、測定領域３１とＣＩ２との相対的な位置関係は、測定毎に異なり得る。例えば、あるときには、図４の点線の四角で示す領域が測定領域になり得る。ここで、分光計３により測定される分光反射率は、測定領域３１内の変色領域２１（文字部分）の面積と、下地領域（文字がない部分）の面積の大きさに応じて異なる。このため、本実施形態では、以下に説明するルックアップテーブル（ＬＵＴ）を判定情報として作成し、作成したＬＵＴを予め制御部８の記憶部９に格納しておく。そして、制御部８の演算処理部１０は、ＬＵＴを使用して滅菌処理のレベルを判定する。以下、ＬＵＴの作成方法について説明する。
【００１３】
まず、ＣＩ２の下地部分のみ（下地１００％）の分光反射率と、１０段階の達成度＃１〜＃１０のそれぞれについて、変色領域２１（文字部分）のみ（下地０％）の分光反射率、つまり、色Ｃ＃１〜Ｃ＃１０それぞれの分光反射率を測定する。そして、達成度＃１〜＃１０それぞれについて、下地部分の分光反射率（下地１００％）と、色Ｃ＃ｋ（ｋは１から１０までの整数）の分光反射率（下地０％）とを、等間隔で所定数に分割する。本実施形態では、１０個の領域に分割するものとする。これにより、各達成度について、図５に示す様な、下地の割合が０％、１０％、２０％、３０％、４０％、５０％、６０％、７０％、８０％、９０％、１００％それぞれにおける分光反射率を求めることができる。なお、図５の表は、１つの達成度についてのものであり、本実施形態では達成度を１０段階としているので、図５の表が、達成度＃１〜＃１０それぞれについて求められる。そして、各達成度の各下地割合それぞれの分光反射率から色空間値（以下、色値）Ｌ*ａ*ｂ*を求め、図６に示すＬＵＴを生成する。図６に示す様に、ＬＵＴは、滅菌処理の複数の達成度それぞれについて、測定領域３１内の下地の面積（又は変色領域２１の面積）の割合と色値との関係を示す情報である。
【００１４】
続いて、図６に示すＬＵＴに基づき滅菌処理のレベルを判定する方法について説明する。まず、制御部８は、分光計３によりＣＩ２上にある測定領域３１の分光反射率を測定し、測定結果として色値Ｃｔを得る。制御部８は、色値Ｃｔと、ＬＵＴの各色値との色差ΔＥ*をそれぞれ求め、色差が最小であるＬＵＴの色値に対応する達成度及び下地割合を判定する。例えば、測定した色値Ｃｔとの色差が最小となるのが、達成度＃２で下地割合が２０％の色値であったものとする。この場合、制御部８は、色値Ｃｔが、達成度＃１〜達成度＃２の範囲と、達成度＃２〜達成度＃３の範囲のいずれかであると仮判定する。また、制御部８は、下地の割合が２０％であるとも判定する。制御部８は、達成度＃１〜達成度＃２の範囲と、達成度＃２〜達成度＃３の範囲のいずれであるかを判定するため、色値Ｃｔと達成度＃１の下地割合が２０％の色値との色差ΔＥ*１と、色値Ｃｔと達成度＃３の下地割合が２０％の色値との色差ΔＥ*３とを比較する。なお、ＬＵＴにおける下地割合が２０％の色値との色差を求めるのは、測定した色値Ｃｔとの色差が最小となる下地割合が２０％であったからである。例えば、ΔＥ*１が１２．７であり、ΔＥ*３が１３．５であると、制御部８は、色差のより小さい達成度＃１を選択し、よって、色値Ｃｔが、達成度＃１〜達成度＃２の範囲、つまり、レベル＃１と本判定する。
【００１５】
なお、色値Ｃｔとの色差が最小になるのが達成度＃１であると、制御部８は、仮判定を行うことなく、レベル＃１と本判定する。同様に、色値Ｃｔとの色差が最小になるのが達成度＃１０であると、制御部８は、仮判定を行うことなく、レベル＃９と本判定する。一方、色値Ｃｔとの色差が最小になる達成度について、当該達成度より低い達成度と高い達成度の両方がＬＵＴに存在すると、制御部８は、上述した本判定を行う。また、色値Ｃｔとの色差が最小になるのが下地１００％であると、測定領域３１内に変色領域２１が含まれていない可能性が高いため、制御部８は、測定エラーと判定し、その旨を表示部５に表示することができる。
【００１６】
以上の構成により、測定領域３１内のＣＩ２の下地の影響を抑え、滅菌処理の達成度を精度良く判定することができる。つまり、使用するＣＩ２の変色領域２１の形状に拘わらず、滅菌処理の達成度を精度良く判定することができる。なお、本実施形態では、図３に示す様に、滅菌処理のレベルを９段階のレベルで判定した。しかしながら、滅菌処理を達成度＃１〜達成度＃１０の１０段階で判定することもできる。この場合、例えば、色値Ｃｔとの色差が最小になる達成度を、そのまま滅菌処理の達成度とすることができる。また、本実施形態では、ＬＵＴに色値を使用し、分光計３により測定した色値とＬＵＴに基づき滅菌処理の達成レベルを判定していた。しかしながら、分光反射率から求められる任意の光学特性値を使用する構成とすることもできる。さらに、光学特性値として分光反射率そのものを使用することもできる。また、制御部８は、分光計７による１回の測定で得た１つの色値Ｃｔに基づき達成度を判定することも、分光計７による複数回の測定で得た複数の色値Ｃｔの平均値に基づき達成度を判定することもできる。
【００１７】
なお、例えば、判定装置１を、達成度のレベルを判定する装置と、当該装置に測色結果を送信する測色装置とで構成することができる。測色装置の構成は、図１に示す判定装置１の構成と同様である。測色装置は、図６に示す達成度＃１〜達成度＃１０と表記された欄に、達成度＃１〜＃１０に代えて、当該達成度における変色領域２１（測色対象領域）の色値を格納したＬＵＴを保持する。以下、達成度＃１〜＃１０に代えてＬＵＴに格納される色値（１０個）を基準色値と呼ぶ。そして、測色装置の制御部８は、分光計３によりＣＩ２上にあるその測定領域３１の分光反射率を測定し、測定結果として色値Ｃｔを得る。制御部８は、色値Ｃｔと、ＬＵＴの各色値との色差ΔＥ*をそれぞれ求め、色差が最小であるＬＵＴの色値に対応する基準色値を判定する。そして、この基準色値を測色結果として達成度のレベルを判定する装置に出力する。この構成により、測定領域３１に含まれる下地の割合が変化しても、測色結果の精度の低下を抑制することができる。
【００１８】
なお、測色装置は、測色結果に加えてＬＵＴから判定される下地の割合も滅菌処理の達成レベルの判定を行う装置に出力することができる。そして、達成レベルの判定を行う装置は、測色結果、又は、測色結果と下地の割合の両方に基づき滅菌処理の達成レベルを判定する。なお、測色装置が保持するＬＵＴは、基準色値と下地の割合との組み合わせに対応する色値を示すものに限定されない。例えば、測色装置が保持するＬＵＴを、基準色値と下地の割合との組み合わせに対応する任意の光学特性値を示すものとすることもできる。さらに、光学特性値として分光反射率そのものを使用することもできる。
【００１９】
＜第二実施形態＞
続いて、第二実施形態について第一実施形態との相違点を中心に説明する。図７は、本実施形態によるＣＩ２を示している。本実施形態によるＣＩ２は、変色領域２１が、複数のドットとして構成されている。
【００２０】
本実施形態においても、事前に、下地のみの分光反射率と、各達成度における変色領域２１のみの分光反射率を測定しておく。図８は、測定結果を示している。続いて、下地及び各達成度における変色領域２１の分光反射率の測定結果に基づき、第１波長と第２波長の２つの波長を選択する。なお、どの様に第１波長と第２波長を選択するかについては後述する。本例では、第１波長として４５０ｎｍを選択し、第２波長として５３０ｎｍを選択している。続いて、各達成度について、第１波長における下地の分光反射率と変色領域２１の分光反射率の差を第１差分として求める。同様に、各達成度について、第２波長における下地の分光反射率と変色領域２１の分光反射率の差を第２差分として求める。そして、各達成度について、同じ達成度における第１差分と第２差分との比を示す判定情報を作成する。図９は、判定情報を示している。制御部８には、図９に示す判定情報と、第１波長及び第２波長における下地の分光反射率を示す下地情報とを、ＬＵＴとして予め格納しておく。
【００２１】
続いて、下地情報と、図９に示す判定情報とを含むＬＵＴに基づき滅菌レベルを判定する方法について説明する。まず、制御部８は、分光計３によりＣＩ２上にあるその測定領域３１の分光反射率を測定する。続いて、制御部８は、下地情報が示す第１波長における下地の分光反射率と前記測定した分光反射率のうちの第１波長の分光反射率との差である第１差分と、下地情報が示す第２波長における下地の分光反射率と前記測定した分光反射率のうちの第２波長の分光反射率との差である第２差分と、を求める。そして、制御部８は、第１差分と第２差分との比率と、図９に示す判定情報を比較することで滅菌処理のレベルを判定する。例えば、求めた第１差分と第２差分との比が０.８８であると、達成度＃３と達成度＃４との間であるためレベル＃３と判定される。なお、０．８８に最も近い達成度＃３と判定する構成であっても良い。
【００２２】
続いて、第１波長と第２波長の選択方法について説明する。まず、第１波長と第２波長は、各達成度における第１差分と第２差分との比が異なる様に選択する。この様に選択した第１波長での第１差分と第２波長での第２差分との比を使用することで、測定領域３１内のドット模様と下地の面積割合による影響が相殺され、測定領域３１内の変色領域２１の大きさに拘わらず、精度よく、滅菌レベルを判定することができる。
【００２３】
このため、図８に示す様に、第１波長における下地の分光反射率と第２波長における下地の分光反射率との差が第３所定値より小さくなる様に第１波長及び第２波長を選択することができる。これにより、測定領域３１内の下地の面積割合による影響をより抑えることができる。そして、例えば、第１波長については、任意の２つの達成度による分光反射率の差が第１所定値より小さくなる波長から選択し、第２波長については、任意の２つの達成度による分光反射率の差が第２所定値より大きくなる波長から選択する。これにより、第１差分と第２差分との比を異ならせることができる。
【００２４】
なお、例えば、図８の波長５００ｎｍ近傍や、波長６００ｎｍ近傍は、達成度により分光反射率が異なるが、波長の変化による分光反射率の変化が大きい。この様な領域の波長から第２波長を選択すると、分光反射率の測定結果の測定毎のバラつきが大きくなる。したがって、第２波長については、波長の変化による分光反射率の変化（傾き）が第２変化量より小さい領域、例えば、図８の波長５２０ｎｍから波長５７０ｎｍの領域から選択する構成とすることができる。なお、本実施形態において変化量とは、図８に示す波長と分光反射率との関係を示すグラフから判定される波長の変化に対する分光反射率の変化量を意味する。言い換えると、各達成度について、第２波長を中心とする所定の波長範囲内における分光反射率の最大値と最小値との差が第４所定値以内となる様に第２波長を選択することができる。
【００２５】
なお、図８では、達成度による分光反射率の差が小さい波長領域（波長４６０ｎｍ以下と、波長６５０以上）において、波長の変化による分光反射率の変化は小さい。つまり、図８では、達成度による分光反射率の差が小さいが、波長の変化による分光反射率の変化が大きい波長範囲はない。しかしながら、この様な波長範囲があったとしても、この様な波長範囲から第１波長を選択すると、分光反射率の測定結果の測定毎のバラつきが大きくなる。したがって、第１波長についても、波長の変化による分光反射率の変化が第１変化量より小さい領域から選択する構成とすることができる。言い換えると、各達成度について、第１波長を中心とする所定の波長範囲内における分光反射率の最大値と最小値との差が第５所定値以内となる様に第１波長を選択することができる。下地の分光反射率についても同様である。
【００２６】
＜その他の形態＞
なお、第一実施形態による滅菌処理の達成度の判定に、第二実施形態で示す複数のドット状の変色領域２１を有するＣＩ２を使用することができる。同様に、第二実施形態による滅菌処理の達成度の判定に、第一実施形態で示す文字状の変色領域２１を有するＣＩ２を使用することができる。より一般的には、上記各実施形態においては、測定領域３１内の下地の面積による影響を抑えて滅菌処理の達成度を判定できるので、変色領域２１の形状に制限はなく、任意形状の変色領域２１を有するＣＩ２を使用することができる。例えば、第一実施形態及び第二実施形態による滅菌処理の達成度の判定に図１０に示すＣＩ２を使用することができる。図１０のＣＩ２は、文字（数字）"０"と、文字"Ｘ"とが下地上に形成されており、文字"Ｘ"が変色領域２１である。一方、文字"０"は、所定の達成度における変色領域２１の色を示すものであり、目視により変色領域２１の色を判定する際の基準となる。
【００２７】
また、上記各実施形態において、ＣＩ２は、下地とは異なる色の変色領域２１を有し、この変色領域２１の色が滅菌処理の達成度に応じて変化するものであった。なお、変色領域２１の色とは、透明を含む。つまり、変色領域２１が初期的には透明であり、滅菌処理の達成度に応じて色が現れる様な場合も本発明における変色領域２１の"変色"又は"色の変化"に含まれる。同様に、変色領域２１が初期的には透明ではないが、滅菌処理の達成度に応じて変色領域２１が透明となる様な場合も本発明における変色領域２１の"変色"又は"色の変化"に含まれる。さらに、下地部分が透明であっても良い。
【００２８】
また、例えば、変色領域２１の色は、初期的には下地の色と同じであっても良い。さらに、滅菌処理の達成度に応じて変色領域２１の全体が一様に変色する必要はない。例えば、変色領域２１全体が初期的には下地の色と同じであり、滅菌処理の達成度に応じた長さ部分が下地とは異なる色に変化しても良い。なお、初期的には変色領域２１が下地の色とは異なる部分を有し、滅菌処理の達成度に応じて下地の色とは異なる部分の長さが長くなる形態であっても良い。逆に、滅菌処理の達成度が高くなるにつれて、下地の色とは異なる部分の長さが短くなる形態であっても良い。
【００２９】
また、上記各実施形態では、滅菌処理の達成度を判定する判定装置を例にして本発明の説明を行った。しかしながら、本発明は、処理の達成度に応じて色が変化する変色領域を有する試験紙が用いられる任意の処理の達成度の判定に対して適用することができる。さらに、第一実施形態で説明した測色装置については、任意の測色対象物の測色に利用することができる。
【００３０】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３１】
３：分光計、９：記憶部、８：制御部
【図１】
2020085740.tif 000003
【図２】
2020085740.tif 000004
【図３】
2020085740.tif 000005
【図４】
2020085740.tif 000006
【図５】
2020085740.tif 000007
【図６】
2020085740.tif 000008
【図７】
2020085740.tif 000009
【図８】
2020085740.tif 000010
【図９】
2020085740.tif 000011
【図１０】
2020085740.tif 000012